(57)【要約】【課題】  本発明は、受光素子のＸ方向の位置調整を容易に正確に行なうことができる光ピックアップ装置の調整方法及び該調整方法により調整された光ピックアップ装置を提供する。【解決手段】  少なくとも２つの受光領域Ｅ、Ｆに分割された受光素子７を有し、記録媒体からの反射光を２つに分割し、反射光８ｂを受光領域Ｅで、反射光８ａを受光領域Ｆで受光した状態で、受光素子７をＸ方向のいずれか一方に移動し、受光領域ＥまたはＦの出力信号が変化する場所から、受光素子７を所定距離戻すことを特徴とする。【選択図】  図６
2005122813.tif 000002
【特許請求の範囲】
【請求項１】
少なくとも２つの受光領域Ｅ，Ｆに分割され、前記受光領域Ｅと前記受光領域ＦとはＸ方向の中心を挟んで反対側に位置する受光素子を、光ピックアップ装置筐体に取り付ける際に、前記Ｘ方向の位置を調整する光ピックアップ装置の調整方法であって、
記録媒体からの反射光を第１反射光及び第２反射光に分割し、前記第１反射光を前記受光領域Ｅで、前記第２反射光を前記受光領域Ｆで受光した状態で、
前記受光素子を前記Ｘ方向のいずれか一方に移動し、
前記受光領域ＥまたはＦの出力信号が変化する場所から、前記受光素子を所定距離戻すことを特徴とする光ピックアップ装置の調整方法。
【請求項２】
前記受光素子は４つの受光領域Ｅ、Ｆ、Ｇ、Ｈに分割され、前記受光領域Ｇと前記受光領域Ｈとは前記Ｘ方向と直交するＹ方向の中心から分割されていることを特徴とする請求項１に記載の光ピックアップ装置の調整方法。
【請求項３】
前記受光領域Ｅ、Ｆは、少なくとも前記Ｘ方向における長さが等しいことを特徴とする請求項１または２に記載の光ピックアップ装置の調整方法。
【請求項４】
前記受光領域ＥまたはＦの出力信号が無くなるところまで前記受光素子を前記Ｘ方向のいずれか一方に移動し、その後、該信号が無くならない場所まで前記受光素子を戻し、該場所から前記受光素子を所定距離戻すことを特徴とする請求項１乃至３のいずれかに記載の光ピックアップ装置の調整方法。
【請求項５】
前記受光素子の位置を移動させる位置調整手段により、前記受光素子を自動的に所定距離戻すことを特徴とする請求項１乃至４のいずれかに記載の光ピックアップ装置の調整方法。
【請求項６】
フォーカスエラー信号が出る状態で、前記Ｘ方向の位置を調整することを特徴とする請求項１乃至５のいずれかに記載の光ピックアップ装置の調整方法。
【請求項７】
前記受光素子と、前記記録媒体に光を照射するための光源が、別体で構成されていることを特徴とする請求項１乃至６のいずれかに記載の光ピックアップ装置の調整方法。
【請求項８】
請求項１乃至請求項７のいずれかに記載の調整方法により調整されたことを特徴とする光ピックアップ装置。
【発明の詳細な説明】
【技術分野】
【０００１】
本発明は、光記録再生装置等に用いられる光ピックアップ装置に関する。
【背景技術】
【０００２】
CD（Compact Disk）やDVD（Digital Versatile Disk）等の光ディスクに対して情報を記録、再生する光ピックアップ装置に用いられる受光素子として、例えば図２に示すような、４つの受光領域Ｅ、Ｆ、Ｇ、Ｈに分割されたものが知られている。これは、光ディスクからの分割された反射光がそれぞれ受光領域Ｆ、Ｇの境界線及びＥ、Ｈの境界線上にそれぞれ集光するように設計されていて、対角の受光領域ごとの和の各々の差を求めることにより焦点誤差信号を検出している（特許文献１）。
このような受光素子について、従来は、図２のＸ方向のずれについては、Ｙ方向のずれに比べて大きな問題が発生することがあまりなかったため、Ｘ方向の位置調整は、２つに分割された反射光がそれぞれの受光領域の略中央になるようにする程度の簡単な位置調整しか行なわれていなかった。
【特許文献１】特開平７−６５４０８（段落００３９〜００４２、図４）
【発明の開示】
【発明が解決しようとする課題】
【０００３】
しかしながら、近年の高密度化、小型化に伴い、より信頼性に余裕をもたせることが望まれてきている。
本発明は、このような問題点に鑑みなされたものであり、経時変化等で受光素子が動いてしまった場合でも、反射光８a、８bが受光素子７上からはずれることがないように、Ｘ方向の位置調整を行うことができる光ピックアップ装置の調整方法及び該調整方法により調整された光ピックアップ装置を提供するものである。
【課題を解決するための手段】
【０００４】
本発明は、少なくとも２つの受光領域Ｅ，Ｆに分割され、前記受光領域Ｅと前記受光領域ＦとはＸ方向の中心を挟んで反対側に位置する受光素子を、光ピックアップ装置筐体に取り付ける際に、前記Ｘ方向の位置を調整する光ピックアップ装置の調整方法であって、記録媒体からの反射光を第１反射光及び第２反射光に分割し、前記第１反射光を前記受光領域Ｅで、前記第２反射光を前記受光領域Ｆで受光した状態で、前記受光素子を前記Ｘ方向のいずれか一方に移動し、前記受光領域ＥまたはＦの出力信号が変化する場所から、前記受光素子を所定距離戻すことを特徴とする。
前記受光素子は４つの受光領域Ｅ、Ｆ、Ｇ、Ｈに分割され、前記受光領域Ｇと前記受光領域Ｈとは前記Ｘ方向と直交するＹ方向の中心から分割されていることを特徴とする。
前記受光領域Ｅ、Ｆは、少なくとも前記Ｘ方向における長さが等しいことを特徴とする。
前記受光領域ＥまたはＦの出力信号が無くなるところまで前記受光素子を前記Ｘ方向のいずれか一方に移動し、その後、該信号が無くならない場所まで前記受光素子を戻し、該場所から前記受光素子を所定距離戻すことを特徴とする。
前記受光素子の位置を移動させる位置調整手段により、前記受光素子を自動的に所定距離戻すことを特徴とする。
フォーカスエラー信号が出る状態で、前記Ｘ方向の位置を調整することを特徴とする。
前記受光素子と、前記記録媒体に光を照射するための光源が、別体で構成されていることを特徴とする。
上記の調整方法により調整されたことを特徴とする光ピックアップ装置。
【発明の効果】
【０００５】
本発明によれば、受光素子のＸ方向の位置調整を容易に正確に行うことができる光ピックアップ装置の調整方法及び該調整方法により調整された光ピックアップ装置を提供できる。
【発明を実施するための最良の形態】
【０００６】
次に、本発明の内容を詳細に説明するが、本発明はこれら実施の形態に何ら限定されるものではない。
【０００７】
図１に光ピックアップ装置の概略を示す。光ピックアップ装置１００は、半導体レーザ等の光源１と、光源１から出射された光ビームを光ディスク２に集光させるコリメートレンズ３及び対物レンズ４、光ディスク２からの反射光を分割するためのホログラム等の回折素子５、回折素子５により分割されビームスプリッタ６で偏向された反射光が集光されるフォトダイオード等の受光素子７等から構成される。
【０００８】
（実施の形態１）
図２乃至図６に、本発明の実施の形態１における受光素子７と反射光８a、８bの状態を示す。
受光素子７は、図２乃至図６に示す形状の４つの受光領域Ｅ、Ｆ、Ｇ、Ｈに分割されている。説明を簡単にするために、各受光領域の大きさは均等であるものとして以下説明する。図２は、受光素子７上で光ビームの焦点が合った時の、受光素子７と反射光８a、８bの関係を示す。受光素子７がＸ方向にずれていなければ、図２に示すように、反射光８a、８bは受光素子７上でＸ方向に偏りなく位置することになる。
【０００９】
次に図３乃至図６により、本発明の調整方法を説明する。この場合、各受光領域のＸ方向の距離ｍは、反射光８a、８bの間隔ｎよりも大きくなるように設定されている。
まず、アクチュエータ等により対物レンズ４を光軸方向へ動かして、光ディスク２上で焦点が合っていないデフォーカスの状態にすると、例えば反射光８a、８bは半円状にぼやけていき図３の状態になる。次に、受光素子７をＸ方向の一方向（この場合は図３の右方向）に動かしていくと、まずＥの出力信号が無くなる（図４の状態）。この状態から、受光素子７を反対方向（図４の左方向）に動かして、Ｅの出力信号が元の大きさになったところで移動を停止する（図５の状態）。図５の状態を基準位置として、あらかじめ計算により求めてある所定距離だけ受光素子７を図５の左方向に動かすことにより、反射光８a、８bが各受光領域上でＸ方向に偏ることがないように位置決めすることができる（図６の状態）。なお、所定距離は、各受光領域のＸ方向の距離ｍ及び反射光８a、８bの間隔ｎから計算により求めることができる。図６の場合の所定距離は、図６中の距離ｄとなる。
【００１０】
図３の状態から、図の左方向に受光素子７を動かした場合は、Ｆの出力信号が無くなることになり、前記調整と移動方向を逆にすることにより、同様にＸ方向の位置調整を行うことができる。
【００１１】
なお、上記の実施形態では、受光領域Ｅ又はＦの出力が無くなり、再び元の大きさの信号になった位置を基準位置としているが、各受光領域と反射光の相対的位置関係がわかる位置であれば、出力信号が変化するどこの位置を基準位置としてもかまわない。出力信号の変化について説明する。例えば、図３の状態から図４の状態へ受光素子７を移動していくと、受光領域Ｅの出力信号は図７のようになり、ｆの範囲が出力信号の変化する場所である。また、図４の状態から図６の状態へ受光素子７を移動していくと、受光領域Ｅの出力信号は図８のようになり、ｇの範囲が出力信号の変化する場所である。例えば、図４と図５の中間位置である図９の状態を基準位置とした場合は、受光領域Ｅの出力信号は図８のｅ/２となり、所定距離は図９の距離ｈとなる。
【００１２】
受光素子７の受光領域Ｅ、Ｆ、Ｇ、Ｈの大きさ、形状等は、本発明の調整方法が実施できる範囲内で、任意に変更可能なことは勿論である。
また、上記実施の形態では、４分割された受光領域を持つ受光素子７について説明したが、Ｘ方向の中心を挟んで反対側に位置する２つの受光領域をもつ受光素子でも、また４つ以上に分割された受光領域を持つ受光素子でも、本発明は実施可能である。
【００１３】
（実施の形態２）
上記の調整を自動的に行うようにすることもできる。自動調整方法の一例を、図１０及び図１1により説明する。
図１０に示すように、受光素子７は取付板９に取り付けられている。位置調整は、取付板９に形成された各孔１０a、１０bに係合する各係合ピン１１a、１１bを有する位置調整治具１２を用いて行う。具体的には、各係合ピン１１a、１１bの先端を各孔１０a、１０bに挿入し、各係合ピン１１a、１１bを介して取付板９を光ピックアップ装置筺体の各取付部２１a、２１bの側端面に当接させた状態で、位置調整治具１２をＸ方向、Ｙ方向に移動させ、さらに、位置調整治具１２をθ方向に回転させることで、受光素子７の位置を調整できる。
【００１４】
図１１に示すように位置調整装置１３は、前記位置調整治具１２と、この位置調整治具１２の移動・回転を行う位置調整機構１４と、位置調整制御装置１５を有している。位置調整機構１４は、位置調整治具１２を回転駆動させる回転駆動機構１６と、回転駆動機構１６が取り付けられた３軸移動テーブル１７と、３軸移動テーブル１７を水平方向（Ｘ方向）、垂直方向（Ｙ方向）、前後方向（Ｚ方向）へそれぞれ移動させる水平方向駆動機構１８、垂直方向駆動機構１９、前後方向駆動機構２０を備える。回転駆動機構１６は、ステッピングモータ、低速ギア機構等により構成される。位置調整制御装置１５は、受光素子７の各受光領域Ｅ、Ｆ、Ｇ、Ｈの出力信号に基づいて焦点誤差信号等を求め、各駆動機構１６、１８、１９、２０を介して位置調整治具１２を移動し、受光素子７の位置を調整できるように構成されている。
【００１５】
自動調整の手順の一例を示す。実施の形態１における図５の状態までは実施の形態１と同様の調整を手動で行う。図５の状態の位置から、位置調整装置１３を作動させて、取付板９をＸ方向に所定距離自動的に動かすようにすることができる。例えば、フォーカスサーボをオンにした時に、位置調整治具１２をＸ方向に所定距離移動するようにプログラムしておくことにより実行できる。ただし、フォーカスサーボをオンにする毎に受光素子７が所定距離移動すると、Ｘ方向の位置調整がずれてしまうため、最初にフォーカスサーボをオンにした時にのみ移動するようにプログラムをしておく必要がある。
【図面の簡単な説明】
【００１６】
【図１】光ピックアップ装置の平面図。
【図２】本発明の実施の形態にかかる受光素子の合焦状態を示す平面図。
【図３】本発明の実施の形態にかかる調整方法を示す平面図。
【図４】本発明の実施の形態にかかる調整方法を示す平面図。
【図５】本発明の実施の形態にかかる調整方法を示す平面図。
【図６】本発明の実施の形態にかかる調整方法を示す平面図。
【図７】本発明の実施の形態にかかる受光素子の移動距離と受光領域Ｅの出力信号を示す図。
【図８】本発明の実施の形態にかかる受光素子の移動距離と受光領域Ｅの出力信号を示す図。
【図９】本発明の実施の形態にかかる調整方法を示す平面図。
【図１０】本発明の実施の形態にかかる位置調整治具の斜視図。
【図１１】本発明の実施の形態にかかる位置調整装置のブロック図。
【符号の説明】
【００１７】
１      光源
２      光ディスク
３      コリメートレンズ
４      対物レンズ
５      回折素子
６      ビームスプリッタ
７      受光素子
８a     反射光
８b     反射光
９      取付板
１０a   取付板の孔
１０b   取付板の孔
１１a   係合ピン
１１b   係合ピン
１２    位置調整治具
１３    位置調整装置
１４    位置調整機構
１５    位置調整制御装置
１６    回転駆動機構
１７    ３軸移動テーブル
１８    水平方向駆動機構
１９    垂直方向駆動機構
２０    前後方向駆動機構
２１a   取付部
２１b   取付部
【図１】
2005122813.tif 000003
【図２】
2005122813.tif 000004
【図３】
2005122813.tif 000005
【図４】
2005122813.tif 000006
【図５】
2005122813.tif 000007
【図６】
2005122813.tif 000008
【図７】
2005122813.tif 000009
【図８】
2005122813.tif 000010
【図９】
2005122813.tif 000011
【図１０】
2005122813.tif 000012
【図１１】
2005122813.tif 000013